(57)【特許請求の範囲】
【請求項１】
記録媒体を挿排する複数の挿排口を有する本体部と、
前記本体部の前面にあり、前記複数の挿排口を、遮蔽する遮蔽位置から、前記複数の挿排口に記録媒体を挿排可能とする開放位置まで回動移動する前面板とを備え、
前記前面板は、前記開放位置において、前記複数の挿排口を、前面板の一面側から挿排可能とされる第１挿排口と、前面板の他面側から挿排可能とされる第２挿排口とに分割することを特徴とする車載用電子機器。
【請求項２】
記録媒体を挿排する複数の挿排口を有する本体部部と、
前記本体部部の前面に有り、前記複数の挿排口を遮蔽する遮蔽位置から、前記複数の挿排口に記録媒体を挿排可能とする開放位置まで回動移動する前面板と、
前記複数の挿排口の内一部の挿排口を挿排可能とする中間位置まで前記前面板を移動させる第１の操作手段と、
前記前面板を開放位置まで移動させる第２の操作手段とを備え、
前記第１の操作手段は、前記前面板が遮蔽位置にある状態で操作可能な位置に配置され、前記第２の操作手段は、前記前面板が中間位置となった時に操作可能となる位置に配置されることを特徴とする車載用電子機器。
【請求項３】
記録媒体を挿排する複数の挿排口を有する本体部と、
前記本体部の前面に有り、前記複数の挿排口を遮蔽する遮蔽位置から、前記複数の挿排口に記録媒体を挿排可能とする開放位置まで回動移動する前面板と、
前記複数の挿排口のうちの１つに対して記録媒体の排出を指示する第１の指示手段と、
前記複数の挿排口のうちの他の１つに対して記録媒体の排出を指示する第２の指示手段とを備え、
前記前面板は、前記遮蔽位置にある状態で前記第１の指示手段が操作された場合に前記開放位置に移動するものであり、
前記第１の指示手段は、前記前面板が遮蔽位置にある状態で操作可能な位置に配置され、前記第２の指示手段は前記前面板が開放位置となった時に操作可能となる位置に配置されることを特徴とする車載用電子機器。
【発明の詳細な説明】
【０００１】
【発明の属する技術分野】
本発明は複数の記録媒体の挿排口を設けた車載用電子機器において、記録媒体の挿排の操作性を向上させる挿排機構に関する。
【０００２】
【従来の技術】
従来の表示部連結型車載用電子機器の構造について図を用いて説明する。
【０００３】
図７は従来の車載用電子機器の斜視図で、図８は従来の車載用電子機器の側面図である。
【０００４】
９は２個の記録媒体の再生装置を内蔵した本体部である。本体部９の操作パネル９１には記録媒体の挿排口９２ａ，９２ｂと記録媒体を排出させる排出スイッチ９３ａ，９３ｂが設けられている。２９は本体部９にレバー３９，ガイド溝９５等の連結部で連結された前面板である。前面板２９の正面には該前面板の開閉操作をする開閉スイッチ２９１と液晶表示部２０が設けられ、左右両側面には前記連結部に係合する垂直移動軸２２１，水平移動軸２３２が立設されている。
次に、動作を説明する。
【０００５】
従来の車載用電子機器に於いて前面板２９が挿排口９２ａ，９２ｂを遮蔽した遮蔽位置（図８のＡ矢視）において、開閉スイッチ２９１を押すと、駆動モータが回転してレバー３９、水平移動軸２３２、ガイド溝９５、垂直移動軸２１１等からなる連結部が前面板２９の下端を本体から遠ざかる方向に移動させ、前面板２９がほぼ水平になった開放位置（図８のＢ矢視）で停止する。次に、排出スイッチ９３ａを押して、これに対応した挿排口９２ａから記録媒体を排出させる。そして、必要に応じて差し替える記録媒体を挿排口９２ａに挿入する。また、排出スイッチ９３ｂを押して、これに対応した挿排口９２ｂから記録媒体を排出させる。そして、必要に応じて記録媒体を挿排口９２ｂに挿入する。記録媒体の挿排操作を終えた後、開閉スイッチ２９１を押すと前面板２９が開放時とは逆の動きで起立し遮蔽位置に戻る。
【０００６】
【発明が解決しようとする課題】
従来の車載用電子機器では前面板２９が開放位置のときに排出スイッチ９２ａを操作して挿排口９２ａの記録媒体を排出させようとした場合、排出スイッチ９３ｂも容易に操作可能な位置に配されているので排出する必要のない挿排口９２ｂの記録媒体を誤って排出させる場合があった。
【０００７】
【課題を解決するための手段】
本発明は上述の課題を達成するもので、記録媒体を挿排する複数の挿排口を有する本体部と、前記本体部の前面にあり、前記複数の挿排口を、遮蔽する遮蔽位置から、前記複数の挿排口に記録媒体を挿排可能とする開放位置まで回動移動する前面板とを備え、前記前面板は、前記開放位置において、前記複数の挿排口を、前面板の一面側から挿排可能とされる第１挿排口と、前面板の他面側から挿排可能とされる第２挿排口とに分割することを特徴とするものである。
【０００８】
また、記録媒体を挿排する複数の挿排口を有する本体部と、前記本体部の前面に有り、前記複数の挿排口を遮蔽する遮蔽位置から、前記複数の挿排口に記録媒体を挿排可能とする開放位置まで回動移動する前面板と、前記複数の挿排口の内一部の挿排口を挿排可能とする中間位置まで前記前面板を移動させる第１の操作手段と、前記前面板を開放位置まで移動させる第２の操作手段とを備え、
前記第１の操作手段は、前記前面板が遮蔽位置にある状態で操作可能な位置に配置され、前記第２の操作手段は、前記前面板が中間位置となった時に操作可能となる位置に配置されることを特徴とするものである。
【０００９】
また、記録媒体を挿排する複数の挿排口を有する本体部と、前記本体の前面に有り、前記複数の挿排口を遮蔽する遮蔽位置から、前記複数の挿排口に記録媒体を挿排可能とする開放位置まで回動移動する前面板と、前記複数の挿排口のうちの１つに対して記録媒体の排出を指示する第１の指示手段と、前記複数の挿排口のうちの他の１つに対して記録媒体の排出を指示する第２の指示手段とを備え、前記前面板は、前記遮蔽位置にある状態で前記第１の指示手段が操作された場合に前記開放位置に移動するものであり、前記第１の指示手段は、前記前面板が遮蔽位置にある状態で操作可能な位置に配置され、前記第２の指示手段は前記前面板が開放位置となった時に操作可能となる位置に配置されることを特徴とするものである。
【００１０】
【発明の実施の形態】
本発明の第１の実施の形態に係る車載用電子機器の構造を図を用いて説明する。
【００１１】
図１は本発明の第１の実施の形態に係る車載用電子機器の斜視図で、図２は本発明の第１の実施の形態に係る車載用電子機器の側面図である。
【００１２】
１は２個の記録媒体の再生装置を内蔵した本体部である。本体部１の操作パネル１１の上方には記録媒体の挿排口１２ａと、挿排口１２ａから記録媒体を排出させる排出スイッチ１３ａが設けられ、下方には挿排口１２ｂと、挿排口１２ｂから記録媒体を排出させる排出スイッチ１３ｂが設けられている。本体部１の左右の側面１４には前面板２１の垂直移動軸２２１を垂直方向に案内するガイド溝１５が垂直方向に延在している。また、本体部１の左右の側面１４の高さ方向のほぼ中央付近にはレバー３１がモータ等の駆動部により側面１４にに沿って水平方向に搖動可能に係止されている。レバー３１は本体部１から前方へ突出する先端側には前面板２１の水平移動軸２３２に嵌合する穴１３１が設けてあり、レバー３１の後端側にはモータ等の駆動部の歯車と噛み合うラックが形成されている。前面板１２は概略直方体で、正面には該前面板の開閉操作をする開閉スイッチ２１１とナビの地図等を表示させる液晶表示部２０が設けられ、左右の側面には垂直移動軸２２１、水平移動軸２３２が立設されている。開閉スイッチ２１１は前面板２１を遮蔽位置（図２のＡ矢視）から開放位置（図２のＢ矢視）に移動させ、開放位置から遮蔽位置に戻す開閉スイッチである。
【００１３】
次に動作を説明する。
【００１４】
本体部１の挿排口１２ａ，１２ｂが前面板２１により遮蔽された遮蔽位置に於いて、開閉スイッチ２１１を押すとモータ等の駆動部が回転してレバー３１が本体部前面から突出する方向に移動し、レバー３１に連結した水平移動軸２３２が本体部１から離れる方向に移動する。これに伴い垂直移動軸２２１がガイド溝15に沿って下降する。そして前面板２１は軸２３２を中心に図２における右回転して本体部１の操作パネル１１の高さ方向におけるほぼ中央で操作パネル１１に直交して停止し、挿排口１２ａ，排出スイッチ１３ａが前面板２１の上面側に、挿排口22ｂ、排出スイッチ２３ｂが前面板２１の下面側に分割されて操作可能に露出する。続いて挿排口１２ａ、１２ｂに対する記録媒体の排出は排出スイッチ１３ａ，１３b を押して記録媒体を排出させ、必要用に応じて新たな記録媒体を挿入する。続いて開閉スイッチ２１１を押すと前面板２１は前述の開放動作の場合とは逆の動作で遮蔽位置に戻る。
【００１５】
以上説明したように本実施の形態に係る車載用電子機器は操作パネル１１が開放位置のとき２組の挿排口と排出スイッチを前面板２１が分割するので排出スイッチ１３ａ，１３ｂを押し間違うことが防がれる。そして、この車載用電子機器は一般的に車のダッシュボードに液晶表示部を見下ろす位置に装着されているので上方の挿排口１２ａと排出スイッチ１３ａを頻繁に挿排する音楽ＣＤ用にし、下方の挿排口１２ｂと排出スイッチ１３ｂを挿排の少ないナビの地図ＣＤ用にすれば操作性の良い車載用電子機器となる。
【００１６】
次に、本発明の第２の実施の形態に係る車載用電子機器の構造を図を用いて説明する。
【００１７】
図３は本発明の第２の実施の形態に係る車載用電子機器の斜視図であり、図４は本発明の第２の実施の形態に係る車載用電子機器の側面図である。
【００１８】
２は２個の記録媒体の再生装置を内蔵した本体部である。本体部２の操作パネル２１の上方には記録媒体の挿排口２２ａと、挿排口２２ａから記録媒体を排出させる排出スイッチ２３ａと、後述の開閉スイッチ２２２が設けられ、下方には挿排口２２ｂと挿排口２２ｂから記録媒体を排出させる排出スイッチ２３ｂが設けられている。本体部２の左右の側面２４には前面板２２の垂直移動軸２２１を垂直方向に案内するガイド溝２５が垂直方向に延在している。また、本体部２の左右の側面２４の高さ方向の下方には一対のレバー３２が側面２４に沿って水平方向に搖動可能に係止されている。レバー３２は本体部２から前方へ突出する先端側には前面板２２の水平移動軸２３２に嵌合する穴１３１が設けてあり、レバー３２の後端側にはモータ等の駆動部の歯車と噛み合うラックが形成されている。前面板２２は概略直方体で、正面には該前面板を開閉操作させる開閉スイッチ２２０とナビの地図等を表示する液晶表示部２０が設けられ、左右の側面には垂直移動軸２２１，水平移動軸２３２が立設されている。開閉スイッチ２２０は前面板２２を遮蔽位置（図４のＡ矢視）から中間位置（図４のＣ矢視）まで移動させ、また、中間位置又は開放位置（図４のＢ矢視）から遮蔽位置に戻すスイッチである。開閉スイッチ２２２は前面板２２を中間位置から開放位置まで移動させ、また、開放位置から中間位置または遮蔽位置に戻すスイッチである。
【００１９】
次に動作を説明する。
【００２０】
本体部２の挿排口２２ａ，２２ｂが前面板２２により遮蔽された遮蔽位置に於いて、開閉スイッチ２２０を押すとモータ等の駆動部が回転してレバー３２が本体部前面から突出する方向に移動し、前面板２２がレバー３２と共に突出方向に移動する。これに伴って前面板２２の両側面上方に設けられた垂直移動軸２２１がガイド溝２５に沿って下降し前面板２２が中間位置で停止する。中間位置では図３に示したように排出スイッチ２３ａ，記録媒体の挿排口２２ａ, 開閉スイッチ２２２が操作可能に露出した状態になり。排出スイッチ２３ａを押して、挿排口２２ａから記録媒体を排出させる。そして必要に応じて新たな記録媒体を挿排口２２ａに挿入する。次に、開閉スイッチ２２０を押すと前面板２２が遮蔽位置に戻る。中間位置で開閉スイッチ２２２を押すと前面板２２がほぼ水平になる開放位置まで突出し、挿排口２２ｂに対する記録媒体の挿排操作が可能となり、排出スイッチ２３ｂを押して、挿排口２２ｂから記録媒体を排出させる。そして必要に応じて新たな記録媒体を挿排口２２ｂに挿入する。そして、開閉スイッチ２２０を押すと前記モータ等の駆動部が逆転して前面板２２は遮蔽位置に戻る。尚、本装置の開閉スイッチ２２０に排出スイッチ２３ａの機能を持たせ、この開閉スイッチを押すだけで前面板２２が中間位置まで移動し、挿排口２２ａから記録媒体が排出されるようにすれば、排出スイッチ２３ａは省略可能となる。また、本装置の開閉スイッチ２２２に排出スイッチ２３ｂの機能を持たせ、この開閉スイッチを押すだけで前面板２２が開放位置まで移動し、挿排口２３ｂから記録媒体が排出されるようにすれば，排出スイッチ２３ｂは省略可能となる。
【００２１】
以上説明したように本実施の形態に係る車載用電子機器は開閉スイッチ２２０を押すと前面板２２は遮蔽位置から中間位置まで移動するので挿排口２２ａと挿排口２２ｂとを誤ることが防がれる。また、 操作パネル２１の上方に有る挿排口２２ａに対する記録媒体の挿排操作時には前面板２２は中間位置まで移動するので移動距離が少なく、動作時間が短縮される。
【００２２】
次に、本発明の第３の実施の形態に係る車載用電子機器の構造を図を用いて説明する。
【００２３】
図５は本発明の第３の実施の形態に係る車載用電子機器の斜視図であり、図６は本発明の第３の実施の形態に係る車載用電子機器の側面図である。尚、第３の実施の形態に係る車載用電子機器は第２の実施の形態に係る車載用電子機器の前面板２２が中間位置、開放位置の２段階の開放状態になるのに対して、中間位置に停まらないものであり、第２の実施の形態に係る車載用電子機器と同じ構成については同じ符号を付し説明を省略する。
【００２４】
３は２個の記録媒体の再生装置を内蔵した本体部である。本体部３の操作パネル３１の上方には記録媒体の挿排口２２ａが設けられ、下方には挿排口２２ｂと、挿排口２２ｂから記録媒体を排出させる排出スイッチ２３ｂが設けられている。本体部３の左右の側面３４には前面板２３の垂直移動軸２２１を案内するガイド溝２５が垂直方向に延在している。また、本体部３の左右の側面３４の高さ方向の下方には一対のレバー３２がモータ等の駆動部により側面３４に沿って水平方向に揺動可能に係止されている。レバー３２の本体部３から前方へ突出する先端側には前面板２３の水平移動軸２３２に嵌合する穴１３１が設けてあり、レバー３２の後端側にはモータ等の駆動部の歯車と噛み合うラックが形成されている。前面板２３は概略直方体で、正面には後述の排出スイッチ２３１と開閉スイッチ２３０と、液晶表示部２０が設けられ、左右の側面には垂直移動軸２２１、水平移動軸２３２が立設されている。排出スイッチ２３１は該前面板を遮蔽位置（図６のＡ矢視）から開放位置（図６のＢ矢視）に移動させると共に挿排口２２ａから記録媒体を排出させ、また、該前面板２３を開放位置から遮蔽位置に戻すスイッチである。開閉スイッチ２３０は該前面板を遮蔽位置から開放位置に移動させ、また、開放位置から遮蔽位置に戻すスイッチである。
【００２５】
次に、動作を説明する。
【００２６】
本体部３の挿排口２２ａ，２２ｂが前面板２３により遮蔽された遮蔽位置に於いて、排出スイッチ２３１を押すとモータ等の駆動部が回転してレバー３２が本体部前面から突出する方向に移動し、前面板２３がレバー３２と共に突出方向に移動し、これに伴って前面板２３の両側面上方に設けられた垂直移動軸２２１がガイド溝２５に沿って下降し前面板２３が開放位置で停止する。開放位置では図５に示すように記録媒体の挿排口２２ａ, ２２ｂ，排出スイッチ２３ｂが操作可能に露出した状態になり、挿排口２２ａに装填されていた記録媒体が外部に一部排出された状態になっており、これを抜き取り、必要に応じて挿排口２２ａに新たな記録媒体を挿入する。続いて挿排口２２ｂの記録媒体を排出あるいは交換する場合は排出スイッチ２３ｂを押して挿排口２２ｂの記録媒体を排出させ、必要に応じて挿排口２２ｂに新たな記録媒体を挿入する。次に、排出スイッチ２３１を押すと前記モータ等の駆動部が逆転して前面板２３は遮蔽位置に戻る。遮蔽位置に於いて挿排口２２ｂの記録媒体を排出あるいは交換する場合は、開閉スイッチ２３０を押して前面板２３を開放位置にし、排出スイッチ２３ｂを押して記録媒体を排出させ、必要に応じて挿排口２２ｂに新たな記録媒体を挿入する。次に、開閉スイッチ２３０あるいは排出スイッチ２３１を押すと前面板２３は遮蔽位置に戻る。
【００２７】
以上説明したように本実施の形態に係る車載用電子機器に於いては、挿排口２２ａの記録媒体を排出させる場合は前面板２３の排出スイッチ２３１を押し、挿排口２２ｂの記録媒体を排出させる場合は開閉スイッチ２３０で前面板２３を開放状態とした後、操作パネル３１の排出スイッチ２３ｂを押す。よって、両者のスイッチの位置が異なるので挿排口２２ａと挿排口２２ｂとの排出操作を誤ることが防がれる。尚、開閉スイッチ２３０を省略し、常に排出スイッチ２３１にて前面板２３を開放状態とするようにしてもよい。この場合、挿排口２２ｂの記録媒体を排出する際は、必ず挿排口２２ｂの記録媒体も排出しなければならないが、挿排口２２ｂの記録媒体の排出の頻度は非常に低いので実用上ほとんど問題にならない。
【００２８】
【発明の効果】
以上説明したように本発明によれば、操作パネルの操作部を前面板で分割あるいは部分的に遮蔽して記録媒体の挿排の誤操作を防止する車載用電子機器が提供きる。
【図面の簡単な説明】
【図１】本発明の第１の実施の形態に係る車載用電子機器の斜視図である。
【図２】本発明の第１の実施の形態に係る車載用電子機器の側面図である。
【図３】本発明の第２の実施の形態に係る車載用電子機器の斜視図である。
【図４】本発明の第２の実施の形態に係る車載用電子機器の側面図である。
【図５】本発明の第３の実施の形態に係る車載用電子機器の斜視図である。
【図６】本発明の第３の実施の形態に係る車載用電子機器の側面図である。
【図７】従来の車載用電子機器の斜視図である。
【図８】従来の車載用電子機器の側面図である。
【符号の説明】
１，２，３，９・・・・・・・本体部
１１，２１，３１，９１・・・操作パネル
１２ａ, ２２ａ，９２ａ・・・挿排口
１２ｂ, ２２ｂ，９２ｂ・・・挿排口
１３ａ, ２３ａ, ９３ａ・・・排出スイッチ
１３ｂ, ２３ｂ, ９３ｂ・・・排出スイッチ
１３１・・・・・・・・・・・レバーの穴
１４，２４，３４，９４・・・側面
１５，２５，９５・・・・・・ガイド溝
２０・・・・・・・・・・・・液晶表示部
２１, ２２, ２３, ２９・・・前面板
２１１，２９１・・・・・・・開閉スイッチ
２２０，２２２・・・・・・・開閉スイッチ
２２１・・・・・・・・・・・垂直移動軸
２３０・・・・・・・・・・・開閉スイッチ
２３１・・・・・・・・・・・排出スイッチ
２３２・・・・・・・・・・・水平移動軸
３１，３２，３９・・・・・・レバー
【図１】
0003724643.tif 000002
【図２】
0003724643.tif 000003
【図３】
0003724643.tif 000004
【図４】
0003724643.tif 000005
【図５】
0003724643.tif 000006
【図６】
0003724643.tif 000007
【図７】
0003724643.tif 000008
【図８】
0003724643.tif 000009